(57)【要約】      （修正有）【課題】プレー時間の短縮化を、改正されたゴルフルールに基づいてピンを立てたままパッティングする、という面だけでなく、カップインしたボールをホールカップから取り出す動作の迅速化、という側面からも促進するホールカップ用補助具を提供する。【解決手段】ホールカップ用補助具は、カップインしたボールを受け止めるボール受け部材１０と、ホールカップ１から立ち上げられたピン４に上下動可能に装備されてボール受け部材をホールカップの底部への載置位置とホールカップの上方位置との間で上下動操作可能な操作部材としてのパイプ材３０とを有する。ボール受け部材はパイプ材に連結固定される。ボール受け部材の上面にボール転がり勾配を付与することが好ましい。【選択図】図５
0003223149.tif 000002
【実用新案登録請求の範囲】
【請求項１】
カップインしたボールをホールカップから取り出すことに用いられるホールカップ用補助具であって、
カップインしたボールを受け止め、かつ、受け止められたボールが転がり落下可能なボール受け部材と、ホールカップから立ち上げられたピンに上下動可能に装備されて上記ボール受け部材をホールカップの底部への載置位置とホールカップの上方位置との間で上下動操作可能な操作部材とを有し、
上記ボール受け部材が上記操作部材に連結固定されていることを特徴とするホールカップ用補助具。
【請求項２】
上記操作部材が、手掴み上下動操作が可能でかつ上記ピンに遊嵌合可能なパイプ材でなり、このパイプ材の下端部が上記ボール受け部材に連結固定されている請求項１に記載したホールカップ用補助具。
【請求項３】
上記ボール受け部材が、当該ボール受け部材を遊嵌合した上記ピンの周方向に並ぶ複数箇所に排水用の開口を備えていて、これらの開口のそれぞれは、上記ボールを通過させないサイズを有し、かつ、当該ボール受け部材を遊嵌合した上記ピンから遠ざかるほど次第に幅広になった形状を有している請求項１又は請求項２に記載したホールカップ用補助具。
【請求項４】
上記操作部材が上記ピンに装備された状態で上記ピンの周方向に回動可能であると共に、上記ボール受け部材が、上記操作部材を装備させた上記ピンの周方向に並ぶ複数箇所に仕切り壁を有して、これらの仕切り壁によって区画された空間にカップインした上記ボールが留まるように構成されている請求項１ないし請求項３のいずれか１項に記載したホールカップ用補助具。
【請求項５】
上記ボール受け部材の上面に、上記操作部材を装備させた上記ピンから遠ざかる方向にボールを転動させるボール転がり勾配が付与されている請求項１ないし請求項４いずれか１項に記載したホールカップ用補助具。
【請求項６】
上記ボール受け部材及び上記操作部材を有するほか、上記ピンに弾着されて上記操作部材が当接することによりその操作部材の上動限位置を規制するストッパをさらに有する請求項１ないし請求項５に記載したホールカップ用補助具。
【請求項７】
上記ボール受け部材が、当該ボール受け部材と上記ホールカップの底部との間に介在される弾性体を備える請求項１ないし請求項６のいずれか１項に記載したホールカップ用補助具。
【考案の詳細な説明】
【技術分野】
【０００１】
本考案は、ホールカップ用補助具、詳しくは、ゴルフのプレイ中にカップインしたボールをホールカップから取り出すことに用いられるホールカップ用補助具に関する。
【背景技術】
【０００２】
従前のゴルフルールの下では、パッティングに際してホールカップから立ち上げられているピンを抜かなければならず、仮にピンを抜かずにパッティングしてカップインしても一定のペナルティが課せられてしまうため、パッティングは誰かにピンに付き添ってもらうことが必要とされていたけれども、近時のゴルフルール改正により、ピンを立てたままでも無罰でパッティングできるようになり、これによりプレー時間の短縮化などが図りやすくなるとされている。
【０００３】
しかしながら、ピンを立てたままパッティングすると、プレーヤーが姿勢を屈めてホールカップの中に手を入れ、カップインしたボールを拾い上げることになるので、プレーヤーの足腰に大きな負担が加わるという懸念があるほか、ホールカップの中に手を差し入れてボールを拾い上げるときにピンがじゃまになってボールを取り出しにくくなるという懸念もある。また、ホールカップの開口の周囲のホールエッジ（芝によって形作られたホールの開口縁）にプレーヤーの手が擦れてホールエッジの形が次第に削られて垂れてしまうという不都合が起こりやすいということも云われている。
【０００４】
一方、先行例によって、ゴルフカップ中に設けられたボール受皿浮上装置が提案されている（特許文献１参照）。特許文献１によって提案されているものは、グリーンカップ内にボール受皿と補助カバーとを設け、旗竿（ピン）に通した紐でボール受皿を載せた補助カバーを吊り上げると、ボールがボール受皿に載ったままホールカップの上方に引き上げられるようになっている。
【先行技術文献】
【特許文献】
【０００５】
【特許文献１】特開昭５５−５８１７８号公報
【考案の概要】
【考案が解決しようとする課題】
【０００６】
上述したように、改正されたゴルフルールの下では、カップインしたボールを拾い上げるときにプレーヤーの足腰に大きな負担が加わったり、ピンがじゃまになってホールカップの中からボールを取り出しにくくなったりするという懸念があった。また、ホールエッジにプレーヤーの手が擦れてホールエッジの形が次第に削られて垂れてしまうという不都合もあった。
【０００７】
これに対し、上掲の特許文献１によって提案されているボール受皿浮上装置によると、ピンを立てたまま、ホールカップの上方に引き上げたボール受皿からボールを取り出すことができるので、カップインしたボールをプレーヤーがホールカップの中に手を差し入れて拾い上げる必要性がなくなる。そのため、カップインしたボールを拾い上げるときにプレーヤーが姿勢を屈める必要性が必ずしもなくなって足腰に加わる負担が軽減され、また、ホールエッジにプレーヤーの手が擦れてホールエッジが形崩れを起こしたりするということがなくなる。しかしながら、その一方で、多くのプレーヤーはパターを片手に持っていることが多いので、空いている側の片手だけを使い、紐を引張って補助カバーを吊り上げたり、吊り上げた補助カバーに乗っているボール受皿からボールを取り出したりする動作を行いにくい、ということが云える。
【０００８】
本考案は、以上の状況に鑑みてなされたもので、プレー時間の短縮化を、改正されたゴルフルールに基づいてピンを立てたままパッティングする、という面だけでなく、カップインしたボールをホールカップから取り出す動作の迅速化、という側面からも促進することのできるホールカップ用補助具を提供することを目的とする。
また、本考案は、カップインしたボールをプレーヤーがホールカップの中に手を差し入れて拾い上げる必要性がなくなり、また、ピンを立てたままにしていても、カップインしたボールを拾い上げるときにホールエッジにプレーヤーの手が擦れてホールエッジが形崩れを起こすということがなくなるだけでなく、プレーヤーがパターを片手に持ったままでも、空いている片手だけを使ってカップインしたボールを容易に取り出すことができるようになるホールカップ用補助具を提供することを目的とする。
【課題を解決するための手段】
【０００９】
本考案に係るホールカップ用補助具は、カップインしたボールをホールカップから取り出すことに用いられるホールカップ用補助具であって、カップインしたボールを受け止め、かつ、受け止められたボールが転がり落下可能なボール受け部材と、ホールカップから立ち上げられたピンに上下動可能に装備されて上記ボール受け部材をホールカップの底部への載置位置とホールカップの上方位置との間で上下動操作可能な操作部材とを有し、上記ボール受け部材が上記操作部材に連結固定されている、というものである。
【００１０】
このように構成されたホールカップ用補助具は、操作部材をピンに装備させることによってピンに取り付けられる。そして、ピンに当該ホールカップ用補助具を取り付けておくと、カップインしたボールは、ホールカップの底部に載置されているボール受け部材によって受け止められる。そのため、操作部材をプレーヤーが上動させてボール受け部材をホールカップの上方位置まで引き上げると、ボール受け部材に受け止められているボールがホールカップの上方にまで持ち上げられる。したがって、ボール受け部材からボールを転がり落下させることにより、ボールがホールカップの周囲のグリーン上に落下し、プレーヤーにとっては、ホールカップに手を差し入れことなくボールを拾い上げることが可能になる。ボールを取り出した後では、プレーヤーが操作部材を下動させてボール受け部材をホールカップの底部への載置位置まで落下させておくことによって次のパッティングに備えることができる。
【００１１】
本考案では、上記操作部材が、手掴み上下動操作が可能でかつ上記ピンに遊嵌合可能なパイプ材でなり、このパイプ材の下端部が上記ボール受け部材に連結固定されている、という構成を採用することが可能である。このものによると、ボール受け部材を上下動させるときに、操作部材であるパイプ材を直接に手で掴んで上下動操作させることができるので、操作部材に操作用の把手などを別途に具備させる必要がない。
【００１２】
本考案では、上記ボール受け部材が、当該ボール受け部材を遊嵌合した上記ピンの周方向に並ぶ複数箇所に排水用の開口を備えていて、これらの開口のそれぞれは、上記ボールを通過させないサイズを有し、かつ、当該ボール受け部材を遊嵌合した上記ピンから遠ざかるほど次第に幅広になった形状を有していることが望ましい。これによれば、ホールカップに浸入した雨水が、ボール受け部材の開口を通して排水されるので、当該ホールカップ用補助具をピンに取り付けていても、雨水がホールカップに溜まってしまうという事態が起こらない。また、開口がピンから遠ざかるほど次第に幅広になった形状を有していることにより、ボール受け部材に受け止められたボールが開口の口縁上を転がってボール受け部材の外縁側へ移動しやすい。そのため、ボール受け部材によってボールがホールカップの上方にまで持ち上げられたときに、ボール受け部材からボールが転がり落下しやすくなる。
【００１３】
本考案では、上記操作部材が上記ピンに装備された状態で上記ピンの周方向に回動可能であると共に、上記ボール受け部材が、上記操作部材を装備させた上記ピンの周方向に並ぶ複数箇所に仕切り壁を有して、これらの仕切り壁によって区画された空間にカップインした上記ボールが留まるように構成されていることが望ましい。これによれば、カップインしてボール受け部材に受け止められたボールが、仕切り壁によって区画された空間に留まったままになる。そのため、ボール受け部材によってボールがホールカップの上方にまで持ち上げられたときにボール受け部材から転がり落下するボールの落下方向を、操作部材と共にボール受け部材をピンの周方向に回動させて任意方向に定めることが可能になる。
【００１４】
本考案では、上記ボール受け部材の上面に、上記操作部材を装備させた上記ピンから遠ざかる方向にボールを転動させるボール転がり勾配が付与されていることが望ましい。これによると、ホールカップの上方位置に上動されたボール受け部材が水平姿勢のままであっても、ボール受け部材に受け止められたボールがボール受け部材から自然に転がり落下する。
【００１５】
本考案では、上記ボール受け部材及び上記操作部材を有するほか、上記ピンに弾着されて上記操作部材が当接することによりその操作部材の上動限位置を規制するストッパをさらに有する、という構成を採用することが可能である。これによれば、ゴム輪でなるストッパをピンに弾着しておくだけで、操作部材の上動限位置が規制されるため、プレーヤーによる操作部材の上動操作によってボール受け部材が不必要に引き上げられることがなくなる。
【００１６】
本考案では、上記ボール受け部材が、当該ボール受け部材と上記ホールカップの底部との間に介在される弾性体を備える、という構成を採用することが可能である。これによれば、弾性体のクッション作用により、ボール受け部材をホールカップの底部に落下させて載置させたときの衝撃によるホールカップ底部の破損が防止される。
【考案の効果】
【００１７】
以上説明したように、本考案に係るホールカップ用補助具によれば、カップインしたボールを取り出すときに、プレーヤーがホールカップに手を差し入れる必要性をなくすることができるので、ピンをホールカップに立てたままにしておいても、ボールを短時間で容易にホールカップから取り出すことができ、しかも、ホールエッジが形崩れを起こすこともない。また、プレーヤーは起立姿勢で片手だけの操作でホールカップからボールを取り出してグリーン上に落下させることができ、しかも、プレーヤーにとってはグリーン上のボールを拾い上げるだけで済むので、プレーヤーの足腰に加わる負担が軽減される。このため、本考案に係るホールカップ用補助具によると、プレー時間の短縮化を、改正されたゴルフルールに基づいてピンを立てたままパッティングする、という面だけでなく、カップインしたボールをホールカップから取り出す動作の迅速化、という側面からも促進することが可能になり、併せて、ホールエッジの型崩れ防止やプレーヤーの足腰に加わる負担の軽減化にも役立つ。
【図面の簡単な説明】
【００１８】
【図１】（Ａ）及び（Ｂ）は第１実施形態に係るホールカップ用補助具の使用状態説明図である。
【図２】第１実施形態に係るホールカップ用補助具の要部を示した斜視図である。
【図３】第１実施形態に係るホールカップ用補助具の要部の変形例を示した斜視図である。
【図４】図３に示したボール受け部材の平面図である。
【図５】（Ａ）及び（Ｂ）は第２実施形態に係るホールカップ用補助具の使用状態説明図である。
【図６】第２実施形態に係るホールカップ用補助具の要部を示した斜視図である。
【図７】第２実施形態に係るホールカップ用補助具の要部の変形例を示した斜視図である。
【図８】図７に示したボール受け部材の平面図である。
【考案を実施するための形態】
【００１９】
図１（Ａ）及び同図（Ｂ）は本考案の第１実施形態に係るホールカップ用補助具の使用状態説明図、図２は上記第１実施形態に係るホールカップ用補助具の要部を示した斜視図である。
【００２０】
図１（Ａ）及び同図（Ｂ）において、ホールカップ１はグリーンＧに掘られたホール２に埋入されている。ホールカップ１の開口はグリーンＧの表面よりもやや下位に位置していて、ホール２の開口縁が、芝によって形作られたホールエッジ３を形成している。そして、旗竿としてのピン４の下端部が、図１（Ｂ）に示したホールカップ１の底部５の貫通孔６に差し込まれて、ピン４がホールカップ１から立ち上げられている。
ホールカップ用補助具は、ボール受け部材１０と操作部材としてのパイプ材３０とを有している。図２に示したようにボール受け部材１０は円板でなる。このボール受け部材１０は、図１（Ａ）及び同図（Ｂ）に示したホールカップ１の内径よりもやや短い外周直径Ｄを有している。そして、このボール受け部材１０の中心部にパイプ材３０の下端部が連結固定されていて、パイプ材３０とボール受け部材１０とを、ピン４に上下動可能に遊嵌合して装備することができるようになっている。
【００２１】
以上の構成を備えるホールカップ用補助具は、図１（Ａ）又は同図（Ｂ）のように、ボール受け部材１０と共にパイプ材３０をピン４に上下動可能に遊嵌合して装備させることによってピン４に取り付けられる。なお、ピン４は、ホールカップ用補助具を取り付けた後に、その下端部をホールカップ１の底部５の貫通孔６に差し込むことによってホールカップ１から立ち上げられる。
【００２２】
ホールカップ用補助具を上記のようにしてピン４に取り付けておくと、ホールカップ用補助具の自重により、図１（Ａ）のようにボール受け部材１０が載置位置に位置してホールカップ１の底部５に載置された状態になり、プレーヤーはこの状態でパッティングすることになる。また、図１（Ｂ）のようにプレーヤーが片方の手１００でパイプ材３０を掴んで上動させることにより、ボール受け部材１０をホールカップ１の上方の上動位置に引き上げることが可能である。
【００２３】
プレーヤーがパッティングすることによってボール５０がカップインすると、カップインしたボール５０が、図１（Ａ）のようにホールカップ１の底部５に載置されているボール受け部材１０によって受け止められる。このため、図１（Ｂ）矢印Ｕのようにパイプ材３０をプレーヤーが片方の手１００で掴んで上動させてボール受け部材１０をホールカップ１の上方位置まで引き上げると、ボール受け部材１０に受け止められているボール５０がホールカップ１の上方にまで持ち上げられる。このため、プレーヤーが手１００でパイプ材３０と共にピン４を少しだけ傾けてボール受け部材１０を傾斜させると、矢印ａのようにボール５０がボール受け部材１０の上面を転がってホールカップ１の周囲のグリーン上に落下する。したがって、プレーヤーにとっては、ホールカップ１に手を差し入れることなくボール５０をグリーンＧ上で拾い上げることができる。これにより、ホールカップ１にプレーヤーが手を差し入れてボール５０を取り出す場合に比べて、ボール５０を短時間で取り出すことが可能になるだけでなく、プレーヤーの足腰に加わる負担も軽減される。ボール５０を取り出した後では、プレーヤーがパイプ材３０から手１００を離すと、自重によってパイプ材３０と共にボール受け部材１０が落下することにより下動してホールカップ１の底部５に自然に載置されるので、ボール受け部材１０を次のパッティングに備えさせることができる。
【００２４】
この第１実施形態では、ボール受け部材１０を上面が平坦な円板によって形成しているので、上記のようにしてボール受け部材１０を少し傾けるだけで、ボール５０がボール受け部材１０の上面を転がって即座にホールカップ１の周囲のグリーン上に落下する。なお、プレーヤーが片方の手１００でパイプ材３０を掴んでいるときに、他方の手が空いているときには、ボール受け部材１０に受け止められているボール５０がホールカップ１の上方にまで持ち上げられたときに、空いている手でボール受け部材１０からボール５０を取り上げることも可能である。
【００２５】
この第１実施形態において、ボール受け部材１０の外周直径Ｄは、ホールカップ１の内径との関係で定まり、ホールカップ１の内径が１０８ｍｍであれば、ボール受け部材１０の外周直径Ｄを１００ｍｍ程度にしておくことが望ましい。また、ボール受け部材１０の下面からパイプ材３０の上端までの長さＨを１０００ｍｍ程度にしておくと、プレーヤーが立ったままの姿勢でパイプ材３０を手掴みして上下動操作を行うことができるようになるので、ボール５０をホールカップ１から取り出す操作を楽に行うことができる。
【００２６】
この第１実施形態では、図１（Ａ）のように、ピン４に強化ゴム製のゴム輪でなるストッパ３１を弾着させている。ピン４に対するストッパ３１の弾着箇所は、ボール受け部材１０がホールカップ１の底部５に載置されている図１（Ａ）の状態で、パイプ材３０の上端から距離Ｓだけ上方に離れた箇所に定めてある。この距離Ｓは、パイプ材３０を上動させて図１（Ｂ）にようにその上端をストッパ３１に当接させて上動限位置を規制させたときに、ボール受け部材１０がホール２のホールエッジ３よりもやや上方に持ち上げられる程度の距離にしておくことが望ましく、たとえばホールエッジ３からホールカップ１の底部５までの深さが１０１．６ｍｍであるときには、それよりもやや長い距離に定められる。
【００２７】
上記したボール受け部材１０は金属製又は樹脂製とすることができるけれども、金属製のボール受け部材１０を用いる場合には、図２に示した弾性体１２をボール受け部材１０に具備させておくことが好ましい。図例の弾性体１２は円板形のゴム板によって形成されていて、中心部にピン４に嵌合される孔部１３を備えている。そして、この弾性体１２をボール受け部材１０と図１（Ａ）又は同図（Ｂ）に示したホールカップ１の底部５との間に介在させておくと、同図（Ｂ）の状態でプレーヤーがパイプ材３０から手１００を離してパイプ材３０と共にボール受け部材１０を落下させてホールカップ１の底部５に落としても、弾性体１２によるクッション作用により、そのときに生じるホールカップ１の底部５とボール受け部材１０との衝撃によるホールカップ底部の破損が防止されるという利点がある。
【００２８】
図３は第１実施形態に係るホールカップ用補助具の要部の変形例を示した斜視図、図４は図３に示したボール受け部材１０の平面図である。
【００２９】
図３又は図４に示したように、図例のボール受け部材１０は、パイプ材３０を遊嵌合したピン４の周方向に並ぶ複数箇所（図例では等角度おきの４箇所）に排水用の開口１４を備えている。これらの開口１４のそれぞれは、ボール５０を通過させないサイズを有し、かつ、上記ピン４から遠ざかるほど次第に幅広になった形状を有している。このようにボール受け部材１０に排水用の開口１４を具備させておくと、ホールカップ１（図１（Ａ）又は同図（Ｂ）参照）に浸入した雨水が、ボール受け部材１０の開口１４を通して排水されるので、雨水がホールカップ１に溜まってしまうという事態が起こらない。また、開口１４がピン４から遠ざかるほど次第に幅広になった形状を有していることにより、図４に示したようにボール受け部材１０に受け止められたボール５０が開口１４の両側の口縁１５，１５上を矢印Ａのように転がってボール受け部材１０の外縁側へ移動しやすい。そのため、図１（Ｂ）のようにボール受け部材１０によってボール５０がホールカップ１の上方にまで持ち上げられたときに、ボール受け部材１０からボール５０がグリーン上へ転がり落下しやすくなるという利点がある。また、ボール受け部材１０に排水用の開口１４を設けておくことによってボール受け部材１０の軽量化を図りやすいという利点もある。なお、ボール受け部材１０に排水用の開口１４を具備させる場合には、上記した弾性体１２にも、たとえば図３のように排水用の開口１６を形成しておくことが望ましい。
【００３０】
さらに、図３又は図４に示したように、ボール受け部材１０には、パイプ材３０を遊嵌合したピン４の周方向に並ぶ複数箇所（図例では等角度おきの４箇所）に仕切り壁１７を設け、これらの仕切り壁１７によって区画された空間１８のいずれかにカップインしたボール５０が留まるように構成することも可能であり、この構成を採用する場合には、ボール受け部材１０及びパイプ材３０をピン４の周方向に回動可能としておくことが望まれる。このようにボール受け部材１０に仕切り壁１７によって区画された空間１８を具備させ、かつ、ボール受け部材１０及びパイプ材３０をピン４の周方向に回動可能としておくと、カップインしてボール受け部材１０に受け止められたボール５０が、上記空間１８に留まったままになるので、ボール受け部材１０によってボール５０が図１（Ｂ）のようにホールカップ１の上方にまで持ち上げられたときに、ボール受け部材１０から転がり落下するボール５０の落下方向を、ボール受け部材１０及びパイプ材３０をピン４の周方向（矢印Ｒ）に回動させて任意方向に定めることが可能になるという利点がある。
【００３１】
図５（Ａ）及び同図（Ｂ）は本考案の第２実施形態に係るホールカップ用補助具の使用状態説明図、図６は上記第２実施形態に係るホールカップ用補助具の要部を示した斜視図である。
【００３２】
図５（Ａ）及び同図（Ｂ）において、ホールカップ１はグリーンＧに掘られたホール２に埋入されている。ホールカップ１の開口はグリーンＧの表面よりもやや下位に位置していて、ホール２の開口縁が、芝によって形作られたホールエッジ３を形成している。そして、旗竿としてのピン４の下端部が、図５（Ｂ）に示したホールカップ１の底部５の貫通孔６に差し込まれて、ピン４がホールカップ１から立ち上げられている。
ホールカップ用補助具は、ボール受け部材１０と操作部材としてのパイプ材３０とを有している。図６に示したようにボール受け部材１０は円板形状を有している。このボール受け部材１０は、図５（Ａ）及び同図（Ｂ）に示したホールカップ１の内径よりもやや短い外周直径Ｄを有している。そして、このボール受け部材１０の中心部にパイプ材３０の下端部が連結固定されていて、パイプ材３０とボール受け部材１０とを、ピン４に上下動可能に遊嵌合して装備することができるようになっている。
【００３３】
また、図６によって判るように、ボール受け部材１０の上面１０ａに、パイプ材３０を装備させたピン４から遠ざかる方向にボールを転動させるボール転がり勾配θが付与されている。言い換えると、ボール受け部材１０はその上面１０ａが外下がりに傾斜していて、ボール受け部材１０によって受け止められたボール５０（図５（Ａ）及び同図（Ｂ））は、ボール受け部材１０が水平に保たれていても、自然にその上面１０ａの上を外周側へ転動するようになっている。
【００３４】
以上の構成を備えるホールカップ用補助具は、図５（Ａ）又は同図（Ｂ）のように、ボール受け部材１０と共にパイプ材３０をピン４に上下動可能に遊嵌合して装備させることによってピン４に取り付けられる。なお、ピン４は、ホールカップ用補助具を取り付けた後に、その下端部をホールカップ１の底部５の貫通孔６に差し込むことによってホールカップ１から立ち上げられる。
【００３５】
ホールカップ用補助具を上記のようにしてピン４に取り付けておくと、ホールカップ用補助具の自重により、図５（Ａ）のようにボール受け部材１が載置位置に位置してホールカップ１の底部５に載置された状態になり、プレーヤーはこの状態でパッティングすることになる。また、図５（Ｂ）のようにプレーヤーが片方の手１００でパイプ材３０を掴んで上動させることにより、ボール受け部材１０をホールカップ１の上方の上動位置に引き上げることが可能である。
【００３６】
プレーヤーがパッティングすることによってボール５０がカップインすると、カップインしたボール５０が、図５（Ａ）のようにホールカップ１の底部５に載置されているボール受け部材１０によって受け止められる。このため、図５（Ｂ）矢印Ｕのようにパイプ材３０をプレーヤーが片方の手１００で掴んで上動させてボール受け部材１０をホールカップ１の上方位置まで引き上げると、ボール受け部材１０に受け止められているボール５０がホールカップ１の上方にまで持ち上げられるので、ボール受け部材１０が水平に保たれていても、自然にその上面１０ａの上を外周側へ転動し、矢印ａのようにホールカップ１の周囲のグリーン上に落下する。したがって、プレーヤーにとっては、ホールカップ１に手を差し入れることなくボール５０をグリーンＧ上で拾い上げることができる。これにより、ホールカップ１にプレーヤーが手を差し入れてボール５０を取り出す場合に比べて、ボール５０を短時間で取り出すことが可能になるだけでなく、プレーヤーの足腰に加わる負担も軽減される。ボール５０を取り出した後では、プレーヤーがパイプ材３０から手１００を離すと、自重によってパイプ材３０と共にボール受け部材１０が落下することにより下動してホールカップ１の底部５に自然に載置されるので、ボール受け部材１０を次のパッティングに備えさせることができる。
【００３７】
この第２実施形態では、ボール受け部材１０に、ピン４から遠ざかる方向にボール５０を転動させるボール転がり勾配θが付与されているので、ボール受け部材１０をホールカップ１の上方に持ち上げるだけで即座にホールカップ１の周囲のグリーン上に落下する。
【００３８】
この第２実施形態において、ボール受け部材１０の外周直径Ｄは、ホールカップ１の内径との関係で定まり、ホールカップ１の内径が１０８ｍｍであれば、ボール受け部材１０の外周直径Ｄを１００ｍｍ程度にしておくことが望ましい。また、ボール受け部材１０の下面からパイプ材３０の上端までの長さＨを１０００ｍｍ程度にしておくと、プレーヤーが立ったままの姿勢でパイプ材３０を手掴みして上下動操作を行うことができるようになるので、ボール５０をホールカップ１から取り出す操作を楽に行うことができる。
【００３９】
この第２実施形態では、図５（Ａ）のように、ピン４に強化ゴム製のゴム輪でなるストッパ３１を弾着させている。ピン４に対するストッパ３１の弾着箇所は、ボール受け部材１０がホールカップ１の底部５に載置されている図５（Ａ）の状態で、パイプ材３０の上端から距離Ｓだけ上方に離れた箇所に定めてある。この距離Ｓは、パイプ材３０を上動させて図５（Ｂ）にようにその上端をストッパ３１に当接させて上動限位置を規制させたときに、ボール受け部材１０がホール２のホールエッジ３よりもやや上方に持ち上げられる程度の距離にしておくことが望ましく、たとえばホールエッジ３からホールカップ１の底部５までの深さが１０１．６ｍｍであるときには、それよりもやや長い距離に定められる。
【００４０】
上記したボール受け部材１０は金属製又は樹脂製とすることができるけれども、金属製のボール受け部材１０を用いる場合には、図６に示した弾性体１２をボール受け部材１０に具備させておくことが好ましい。図例の弾性体１２は円板形のゴム板によって形成されていて、中心部にピン４に嵌合される孔部１３を備えている。そして、この弾性体１２をボール受け部材１０と図５（Ａ）又は同図（Ｂ）に示したホールカップ１の底部５との間に介在させておくと、同図（Ｂ）の状態でプレーヤーがパイプ材３０から手１００を離してパイプ材３０と共にボール受け部材１０を落下させてホールカップ１の底部５に落としても、弾性体１２によるクッション作用により、そのときに生じるホールカップ１の底部５とボール受け部材１０との衝撃によるホールカップ底部の破損が防止されるという利点がある。
【００４１】
図７は第１実施形態に係るホールカップ用補助具の要部の変形例を示した斜視図、図８は図７に示したボール受け部材１０の平面図である。
【００４２】
図７又は図８に示したように、図例のボール受け部材１０は、パイプ材３０を遊嵌合したピン４の周方向に並ぶ複数箇所（図例では等角度おきの４箇所）に排水用の開口１４を備えている。これらの開口１４のそれぞれは、ボール５０を通過させないサイズを有し、かつ、上記ピン４から遠ざかるほど次第に幅広になった形状を有している。このようにボール受け部材１０に排水用の開口１４を具備させておくと、ホールカップ１（図５（Ａ）又は同図（Ｂ）参照）に浸入した雨水が、ボール受け部材１０の開口１４を通して排水されるので、雨水がホールカップ１に溜まってしまうという事態が起こらない。また、開口１４がピン４から遠ざかるほど次第に幅広になった形状を有していることにより、図８に示したようにボール受け部材１０に受け止められたボール５０が開口１４の両側の口縁１５，１５上を矢印Ａのように転がってボール受け部材１０の外縁側へ移動しやすい。そのため、図１（Ｂ）のようにボール受け部材１０によってボール５０がホールカップ１の上方にまで持ち上げられたときには、ボール受け部材１０にボール転がり勾配θが付与されていることと相まって、ボール受け部材１０からボール５０がグリーン上へ転がり落下しやすくなるという利点がある。また、ボール受け部材１０に排水用の開口１４を設けておくことによってボール受け部材１０の軽量化を図りやすいという利点もある。なお、ボール受け部材１０に排水用の開口１４を具備させる場合には、上記した弾性体１２にも、たとえば図７のように排水用の開口１６を形成しておくことが望ましい。
【００４３】
さらに、図７又は図８に示したように、ボール受け部材１０には、パイプ材３０を遊嵌合したピン４の周方向に並ぶ複数箇所（図例では等角度おきの４箇所）に仕切り壁１７を設け、これらの仕切り壁１７によって区画された空間１８のいずれかにカップインしたボール５０が留まるように構成することも可能であり、この構成を採用する場合には、ボール受け部材１０及びパイプ材３０をピン４の周方向に回動可能としておくことが望まれる。このようにボール受け部材１０に仕切り壁１７によって区画された空間１８を具備させ、かつ、ボール受け部材１０及びパイプ材３０をピン４の周方向に回動可能としておくと、カップインしてボール受け部材１０に受け止められたボール５０が、上記空間１８に留まったままになるので、ボール受け部材１０によってボール５０が図５（Ｂ）のようにホールカップ１の上方にまで持ち上げられたときに、ボール受け部材１０から転がり落下するボール５０の落下方向を、ボール受け部材１０及びパイプ材３０をピン４の周方向（矢印Ｒ）に回動させて任意方向に定めることが可能になるという利点がある。
【００４４】
以上説明した第１及び第２の各実施形態では、操作部材としてパイプ材３０を採用しているけれども、操作部材としてピン４に遊嵌合可能なリングや短筒体を採用し、それらのリングや短筒体に、線材を介してボール受け部材を連結固定しておいてもよい。また、ボール受け部材１０に設けられる排水用の開口１４として、円板形のボール受け部材１０の外周縁から中央に向けて凹入した形状の開口を採用することも可能である。
【符号の説明】
【００４５】
１  ホールカップ
４  ピン
５  ホールカップの底部
１０  ボール受け部材
１２  弾性体
１４  排水用の開口
１７  仕切り壁
１８  仕切り壁によって区画された空間
３０  パイプ材（操作部材）
３１  ストッパ
５０  ボール
θ  ボール転がり勾配
【図１】
0003223149.tif 000003
【図２】
0003223149.tif 000004
【図３】
0003223149.tif 000005
【図４】
0003223149.tif 000006
【図５】
0003223149.tif 000007
【図６】
0003223149.tif 000008
【図７】
0003223149.tif 000009
【図８】
0003223149.tif 000010